(57)【要約】  【課題】  犯罪を抑止すること。  【解決手段】  第１アーム２と、第１アーム２に対向する第２アーム３と、第１アーム２と第２アーム３とを衣類に取り付ける取付具４とを備えている。第１アーム２は、弾性体から形成される第１線材が渦巻き状に巻かれて形成されている。第２アーム３は、弾性体から形成される第２線材が渦巻き状に巻かれて形成されている。このとき、カラーボールホルダ１は、第１アーム２と第２アーム３との間に挟んで、カラーボール１０を衣類に着脱可能に支持することができる。このとき、ユーザは、カラーボールホルダ１を用いて他人に分かるように、カラーボール１０を携帯することができ、この結果、犯罪を抑止することができる。  【選択図】  図１
2005346506.tif 000002
【特許請求の範囲】
【請求項１】
第１アームと、
前記第１アームに対向する第２アームと、
前記第１アームと前記第２アームとを衣類に取り付ける取付具とを具備し、
前記第１アームは、弾性体から形成される第１線材が渦巻き状に巻かれて形成され、
前記第２アームは、弾性体から形成される第２線材が渦巻き状に巻かれて形成される
カラーボールホルダ。
【請求項２】
請求項１において、
前記第１アームと前記第２アームとが前記衣類に取り付けられたときに、前記第１アームの最も鉛直下側に配置される部分と前記第２アームの最も鉛直下側に配置される部分との間隔は、前記第１アームの最も鉛直上側に配置される部分と前記第２アームの最も鉛直上側に配置される部分との間隔より大きい
カラーボールホルダ。
【請求項３】
請求項１または請求項２のいずれかにおいて、
前記第１アームは、金属により形成され、
前記第２アームは、金属により形成される
カラーボールホルダ。
【請求項４】
請求項３に記載のカラーボールホルダを製造するカラーボールホルダ製造方法であり、
１本の線材を塑性変形させて前記第１アームと前記第２アームとを形成するステップと、
前記取付具を形成するステップとを具備し、
前記線材は、
前記第１アームを形成する第１アーム部分と、
前記第２アームを形成する第２アーム部分と、
前記第１アーム部分と前記第２アーム部分との間に配置される取付具部分とを含み、
前記取付具は、前記衣類を把持するフックが前記取付具部分に同体に接合されて形成される
カラーボールホルダ製造方法。
【請求項５】
カラーボールを挟んで着脱可能に支持するアームと、
釣り鐘状に形成され、前記アームが内部に支持されるカバーと、
前記カバーを衣類に取り付ける取付具とを具備し、
前記カバーには、切り欠きが形成される
カラーボールホルダ。
【請求項６】
請求項５において、
前記アームは、１本の線材から形成され、
前記線材は、
前記線材の両端に配置される両端部分と、
第１アームを形成する第１アーム部分と、
前記第１アームに対向する第２アームを形成する第２アーム部分と、
前記第１アーム部分と前記第２アーム部分との間に配置される中央部分とを含み、
前記線材のうちの前記両端部分と前記中央部分とが前記カバーに接合される
カラーボールホルダ。
【請求項７】
互いにサイズが異なり、それぞれカラーボールを挟んで着脱可能に支持する複数のアームと、
釣り鐘状に形成され、前記複数のアームのうちの１つのアームが内部に着脱可能に支持されるカバーと、
前記カバーを衣類に取り付ける取付具とを具備し、
前記カバーは、切り欠きが形成される
カラーボールホルダセット。
【発明の詳細な説明】
【技術分野】
【０００１】
本発明は、カラーボールホルダ及びカラーボールホルダ製造方法に関し、特に、防犯に用いられるカラーボールを携帯するときに利用されるカラーボールホルダ及びカラーボールホルダ製造方法に関する。
【背景技術】
【０００２】
防犯に用いられるカラーボールが知られている。そのカラーボールは、内部に塗料が入っている球状のプラスチックケースから形成されている。そのカラーボールは、事件発生後、逃走する犯人の足元や車めがけて投げつけられる。そのカラーボールは、標的に命中すると割れ、塗料を周囲に飛散させて犯人の衣服や車体に付着させる。その付着した塗料は、犯人を追跡する目印となり、犯罪の証拠になる。このようなカラーボールは、さらに、罪を犯す恐れがある者の視界に配置することにより、未然に犯罪を防止することができる。防犯用のカラーボールをより効果的に携帯することが望まれている。
【０００３】
登録実用新案第３０２０２５２号公報には、蛍光塗料入りボールをオートバイや自転車を利用する現金集金担当者などが効果的に携帯する容器が開示されている。その容器は、ファスナーなどにより開閉ができる袋状の容器にベルト等の紐状のものを取り付けられている。このベルトの先には、オートバイまたは自転車の荷物用篭に取り付けるための器具が付けられている。
【０００４】
【特許文献１】登録実用新案第３０２０２５２号公報
【発明の開示】
【発明が解決しようとする課題】
【０００５】
本発明の課題は、防犯用のカラーボールの携帯に使用してより効果的であるカラーボールホルダを提供することにある。
本発明の他の課題は、犯罪をより抑止するカラーボールホルダを提供することにある。
本発明のさらに他の課題は、防犯用のカラーボールの携帯に使用してより効果的であるカラーボールホルダをより容易に製造するカラーボールホルダ製造方法を提供することにある。
【課題を解決するための手段】
【０００６】
以下に、発明を実施するための最良の形態・実施例で使用される符号を括弧付きで用いて、課題を解決するための手段を記載する。この符号は、特許請求の範囲の記載と発明を実施するための最良の形態・実施例の記載との対応を明らかにするために付加されたものであり、特許請求の範囲に記載されている発明の技術的範囲の解釈に用いてはならない。
【０００７】
本発明によるカラーボールホルダ（１）は、第１アーム（２）と、第１アーム（２）に対向する第２アーム（３）と、第１アーム（２）と第２アーム（３）とを衣類に取り付ける取付具（４）とを備えている。第１アーム（２）は、弾性体から形成される第１線材が渦巻き状に巻かれて形成されている。第２アーム（３）は、弾性体から形成される第２線材が渦巻き状に巻かれて形成されている。
【０００８】
このとき、カラーボールホルダ（１）は、防犯用のカラーボール（１０）を第１アーム（２）と第２アーム（３）との間に挟んで固定することができ、カラーボール（１０）を衣類に着脱可能に支持することができる。さらに、カラーボールホルダ（１）は、第１アーム（２）と第２アーム（３）とがそれぞれ渦巻き状を形成することにより、第１アーム（２）と第２アーム（３）とがカラーボール（１０）の表面に密着し、様々な大きさのカラーボール（１０）をより確実に支持することができる。さらに、第１アーム（２）と第２アーム（３）とが線材により形成されることにより、ユーザは、カラーボールホルダ（１）を用いて他人に分かるように、カラーボール（１０）を携帯することができる。罪を犯す恐れがある者は、カラーボール（１０）を携帯する警備員の存在を知ったときに、犯罪を躊躇する。このため、カラーボールホルダ（１）は、犯罪を抑止することができる。
【０００９】
第１アーム（２）と第２アーム（３）とが衣類に取り付けられたときに、第１アーム（２）の最も鉛直下側に配置される部分と第２アーム（３）の最も鉛直下側に配置される部分との間隔（１８）は、第１アーム（２）の最も鉛直上側に配置される部分と第２アーム（３）の最も鉛直上側に配置される部分との間隔（１９）より大きい。このとき、ユーザは、カラーボール（１０）を第１アーム（２）と第２アーム（３）との間に出し入れし易く好ましい。
【００１０】
第１アーム（２）は、金属により形成され、第２アーム（３）は、金属により形成されることが好ましい。
【００１１】
本発明によるカラーボールホルダ製造方法は、本発明によるカラーボールホルダ（１）を製造するカラーボールホルダ製造方法である。本発明によるカラーボールホルダ製造方法は、１本の線材を塑性変形させて第１アーム（２）と第２アーム（３）とを形成するステップと、取付具（４）を形成するステップとを備えている。このとき、その線材（２１）は、第１アーム（２）を形成する第１アーム部分（２２）と、第２アーム（３）を形成する第２アーム部分（２３）と、第１アーム部分（２２）と第２アーム部分（２３）との間に配置される取付具部分（２４）とを含んでいる。取付具（４）は、衣類を把持するフック（２９）が取付具部分（２４）に同体に接合されて形成される。このようなカラーボールホルダ製造方法によれば、容易にカラーボールホルダ（１）を製造することができ、好ましい。
【００１２】
本発明によるカラーボールホルダ（４１）は、カラーボール（４７）を挟んで着脱可能に支持するアーム（４３）と、釣り鐘状に形成され、アーム（４３）が内部に支持されるカバー（４２）と、カバー（４２）を衣類に取り付ける取付具（５５）とを備えている。このとき、カバー（４２）には、切り欠き（４６）が形成されている。このようなカラーボールホルダ（４１）によれば、ユーザは、カラーボール（４７）が外部からの衝撃により破壊されないように、そのカラーボール（４７）を携帯することができる。ユーザは、さらに、切り欠き（４６）に指を入れてカラーボール（４７）をカラーボールホルダ（４１）から容易に取り出すことができる。さらに、カバー（４２）に切り欠き（４６）が形成されることにより、ユーザは、カラーボールホルダ（４１）を用いて他人に分かるように、カラーボール（４７）を携帯することができる。罪を犯そうとする者は、カラーボール（４７）を携帯する警備員の存在を知ったときに、犯罪を躊躇する。このため、カラーボールホルダ（４１）は、犯罪を抑止することができる。
【００１３】
アーム（４３）は、１本の線材から形成されている。このとき、その線材は、線材の両端に配置される両端部分（６１、６２）と、第１アーム（６３）を形成する第１アーム（６３）部分と、第１アーム（６３）に対向する第２アーム（６４）を形成する第２アーム（６４）部分と、第１アーム（６３）部分と第２アーム（６４）部分との間に配置される中央部分（６５）とを含んでいる。その線材のうちの両端部分（６１、６２）と中央部分（６５）とがカバー（４２）に接合される。このようなカラーボールホルダ（４１）は、堅固であり、壊れにくい点で好ましい。
【００１４】
本発明によるカラーボールホルダセットは、複数のアーム（４３）とカバー（４２）と取付具（５５）とを備えている。複数のアーム（４３）は、互いにサイズが異なり、それぞれ、カラーボール（４７）を挟んで着脱可能に支持することができる。カバー（４２）は、釣り鐘状に形成され、複数のアーム（４３）のうちの１つのアームが内部に着脱可能に支持されることができる。取付具（５５）は、カバー（４２）を衣類に取り付ける。このとき、カバー（４２）には、切り欠き（４６）が形成される。このようなカラーボールホルダセットによれば、その複数のアーム（４３）のうちの適切なサイズの１つのアームがカバーに取り付けられることにより、様々な大きさのカラーボール（４７）をより確実に支持することができるカラーボールホルダ（４１）を構成することができる。
【００１５】
このようなカラーボールホルダ（４１）によれば、ユーザは、カラーボール（４７）が外部からの衝撃により破壊されないように、そのカラーボール（４７）を携帯することができる。ユーザは、さらに、切り欠き（４６）に指を入れてカラーボール（４７）をカラーボールホルダ（４１）から容易に取り出すことができる。さらに、カバー（４２）に切り欠き（４６）が形成されることにより、ユーザは、カラーボールホルダ（４１）を用いて他人に分かるように、カラーボール（４７）を携帯することができる。罪を犯そうとする者は、カラーボール（４７）を携帯する警備員の存在を知ったときに、犯罪を躊躇する。このため、カラーボールホルダ（４１）は、犯罪を抑止することができる。
【発明の効果】
【００１６】
本発明によるカラーボールホルダによれば、ユーザは、犯罪を抑止するように防犯用のカラーボールを携帯することができる。さらに、本発明によるカラーボールホルダ製造方法によれば、そのようなカラーボールホルダをより容易に製造することができる。
【発明を実施するための最良の形態】
【００１７】
図面を参照して、本発明によるカラーボールホルダの実施の形態を記載する。そのカラーボールホルダ１は、図１に示されているように、右アーム２と左アーム３と取付具４とを備えている。右アーム２は、弾性体である金属の線材から形成されている。その金属としては、ステンレス鋼が例示される。右アーム２を形成する線材の１つの端７は、取付具５に同体に接合されている。右アーム２を形成する線材は、球面に沿うように形成されている。
【００１８】
左アーム３は、右アーム２と同様にして、形成されている。すなわち、弾性体である金属の線材から形成されている。左アーム３を形成する線材の１つの端８は、取付具５に同体に接合されている。左アーム３を形成する線材は、球面に沿うように形成されている。さらに、右アーム２により形成される球面の内側（凹である側の面）は、左アーム３により形成される球面の内側に対向している。
【００１９】
右アーム２を形成する線材は、さらに、図２に示されているように、定点７を取り巻く渦巻き状に形成されている。すなわち、その線材は、定点７の回りを一方向に回りながら定点７から遠ざかる運動をする点の軌跡に沿って配置されている。このとき、端５の反対側の端８が定点７から最も近く、端８からの長さが大きい部分ほど定点７からの距離が大きくなり、端５が定点７から最も遠い。左アーム３を形成する線材は、右アーム２を形成する線材と同様にして、形成されている。すなわち、その線材は、定点７の回りを一方向に回りながら定点７から遠ざかる点の軌跡に沿って配置されている。このとき、端６と反対側の端９が定点７から最も近く、端９からの長さが大きい部分ほど定点７からの距離が大きくなり、端６が定点７から最も遠い。このような右アーム２と左アーム３とは、デザインが美観を生じさせ、好ましい。
【００２０】
端８と端９とは、小さく折り返されている。このような折り返しは、左アーム３と右アーム２との間に把持されるカラーボール１０に先端が当たらないでカラーボール１０に傷つけにくい点で好ましく、先端がユーザに接触しない点で好ましい。
【００２１】
取付具４は、弾性体である樹脂から形成され、取付具本体１１とフック１２とから形成されている。取付具本体１１は、板状に形成され、その端縁１４に右アーム２の端５と左アーム３の端６とが接合されている。フック１２は、板状に形成され、一端が取付具本体１１の端縁１４に一体に接合されている。フック１２は、取付具本体１１の右アーム２と左アーム３とに対向する面と反対の面１５に所定量の隙間を空けて沿うように、取付具本体１１と概ね平行に配置されている。取付具本体１１は、さらに、面１５のうちの端縁１４の反対側の端縁１６に突起１７が形成されている。
【００２２】
カラーボールホルダ１は、さらに、図３に示されているように、右アーム２と左アーム３との間隔が不均一である。すなわち、端縁１４から端縁１６に向かう方向の端での右アーム２と左アーム３と間隔１８は、その反対側の端での右アーム２と左アーム３と間隔１９より長い。なお、右アーム２と左アーム３との間隔が最も大きい位置は、その他の位置に配置することができる。カラーボールホルダ１は、その位置が適宜設計されることにより、より使い勝手がよくなる。
【００２３】
図４は、本発明によるカラーボールホルダ製造方法の実施の形態を示している。まず、１本の線材が塑性加工されて、線材２１が製造される。その線材２１は、右アーム部分２２と左アーム部分２３と取付具部分２４とから形成されている。取付具部分２４は、右アーム部分２２と左アーム部分２３との間に位置している。右アーム部分２２は、右アーム２の形状に一致している。左アーム部分２３は、左アーム３の形状に一致している。取付具部分２４は、概ね四角形に形成されている。
【００２４】
次いで、第１取付具部品２６と第２取付具部品２７とが製造される。第１取付具部品２６は、樹脂により形成されている。第２取付具部品２７は、樹脂により形成され、本体部分２８とフック部分２９とから形成されている。フック部分２９は、フック１２の形状に一致している。第１取付具部品２６と第２取付具部品２７の本体部分２８とは、間に取付具部分２４を挟んで接着される。この接着は、ボルトを用いて、または、接着剤を用いて実行される。第１取付具部品２６と第２取付具部品２７の本体部分２８とが接着された形状は、取付具４の取付具本体１１の形状に一致している。
【００２５】
カラーボールホルダ１は、このようにして製造される。このようなカラーボールホルダ製造方法によれば、カラーボールホルダ１をより容易に製造することができる。
【００２６】
カラーボールホルダ１は、ユーザが防犯用のカラーボールを携帯するときに使用される。そのカラーボールは、内部に塗料が入っている球状のプラスチックケースから形成されている。すなわち、ユーザが着用するベルトを取付具４の取付具本体１１とフック１２との間に挟みこむことにより、取付具４がそのベルトを把持し、カラーボールホルダ１はユーザに装着される。このとき、突起１７は、そのベルトが取付具４から抜け出ることを防止している。カラーボールホルダ１は、防犯用のカラーボール１０が右アーム２と左アーム３との間に押し込まれることにより、図２と図３とに示されているように、右アーム２と左アーム３との間にカラーボール１０を把持し、カラーボール１０を衣類に着脱可能に支持する。
【００２７】
このとき、カラーボールホルダ１は、右アーム２と左アーム３とがそれぞれ渦巻き状に形成されていることにより、右アーム２と左アーム３とがカラーボール１０の表面に密着し、様々な大きさのカラーボール１０をより確実に把持することができる。さらに、カラーボールホルダ１は、右アーム２と左アーム３と間隔１８が間隔１９より長いことにより、間隔１８の側からカラーボール１０を押し込んだり、間隔１８の側からカラーボール１０を引き抜いたりすることが容易である。間隔１８は、端縁１４から端縁１６に向かう方向の端に配置されることにより、ユーザがカラーボール１０を引き抜くときに、カラーボールホルダ１がベルトから外れることが防止される。
【００２８】
ユーザは、事件発生後、カラーボール１０をカラーボールホルダ１から引き抜いて逃走する犯人の足元や車めがけて投げつける。そのカラーボール１０は、標的に命中すると割れ、塗料を周囲に飛散させて犯人の衣服や車体に付着させる。その付着した塗料は、犯人を追跡する目印となり、容疑者の犯罪の証拠になる。
【００２９】
右アーム２と左アーム３とが線材により形成されることにより、ユーザは、カラーボールホルダ１を用いて他人に分かるように、カラーボール１０を携帯することができる。罪を犯す恐れがある者は、カラーボール１０が携帯されていることを知ったときに、犯罪を躊躇することがある。このため、カラーボールホルダ１は、犯罪を抑止することができる。
【００３０】
図５は、本発明によるカラーボールホルダの実施の他の形態を示している。そのカラーボールホルダ４１は、カバー４２とアーム４３とを備えている。カバー４２は、ＡＢＳ樹脂に例示される弾性体から形成され、概ね釣り鐘状を形成している。すなわち、カバー４２は、胴部分４４と上部分４５とから形成される。胴部分４４は、円筒を形成している。胴部分４４は、その円筒の一端が上部分４５に接合されてふさがれ、他端が開口されている。アーム４３は、ばね用鋼線に例示される弾性体の線材により形成され、カラーボール４７を挟んで着脱可能に支持することができるように、形成されている。アーム４３は、上部分４５の内側の面に同体に接合されて、カバー４２の内部に支持されている。
【００３１】
カバー４２は、図６に示されているように、切り欠き４６が形成されている。切り欠き４６は、胴部分４４の開口している部分から上部分４５に向かって形成されている。切り欠き４６は、幅が平均的なユーザの手の親指の径より大きく、カラーボール４７の径より小さい。さらに、切り欠き４６は、長さがカラーボール４７の径より大きい。
【００３２】
カラーボールホルダ４１は、図７に示されているように、さらに、スプリング押さえ５１とネジ５２とを備えている。カバー４２は、上部分４５の内側の面にボス５３が形成されている。ボス５３には、雌ねじが形成されている。ネジ５２は、ボス５３に締められて、スプリング押さえ５１をカバー４２の上部分４５の内側の面に同体に固定している。スプリング押さえ５１は、カバー４２の上部分４５の内側の面との間にアーム４３の一部分を挟んでいる。
【００３３】
カバー４２は、フック５５が形成されている。フック５５は、板状に形成され、一端が胴部分４４の切り欠き４６と反対側の面５６に一体に接合されている。フック５５は、さらに、面５６に所定量の隙間を空けて沿うように、面５６に概ね平行に配置されている。カバー４２は、さらに、面５６に突起５７が形成されている。カラーボールホルダ４１は、カバー４２の面５６とフック５５との間にユーザが着用する衣類が挟みこまれることにより、その衣類に支持されてユーザに装着される。このとき、突起５７は、その衣類が面５６とフック５５との間から抜け出ることを防止している。
【００３４】
図８は、アーム４３を示している。アーム４３は、右端部分６１と左端部分６２と右アーム部分６３と左アーム部分６４と中央部分６５とから形成されている。右端部分６１と左端部分６２とは、アーム４３が形成される線材の両端の部分であり、左端部分６２は、その線材の右端部分６１の端と反対側の端に配置されている。右アーム部分６３と左アーム部分６４とは、右端部分６１と左端部分６２との間に形成されている。右アーム部分６３は、右端部分６１に一体に接合されている。左アーム部分６４は、左端部分６２に一体に接合されている。中央部分６５は、右アーム部分６３と左アーム部分６４との間に形成されている。アーム４３は、右端部分６１と左端部分６２と中央部分６５とがカバー４２の上部分４５の内側の面とスプリング押さえ５１との間に挟まれて、カバー４２に支持されている。
【００３５】
カラーボールホルダ４１は、アーム４３として取り付け可能な互いにサイズが異なる複数のアームを一揃いにしたカラーボールホルダセットとして市場販売される。
【００３６】
カラーボールホルダセットは、ユーザが防犯用のカラーボール４７を携帯するときに使用される。カラーボールホルダセットは、まず、その複数のアームのうちの携帯されるカラーボール４７に適したサイズのアームが選択されて、そのアームがアーム４３としてカバー４２に取り付けられて、カラーボールホルダ４１が組み立てられる。カラーボール４７は、様々な大きさのものが市場販売されている。このようなカラーボールホルダセットによれば、様々な大きさのカラーボール４７をより確実に支持することができるカラーボールホルダ４１を構成することができる。
【００３７】
カラーボールホルダ４１は、ユーザが着用する衣類（たとえば、ベルト）がカバー４２の面５６とフック５５との間に挟みこまれることにより、ユーザに装着される。カラーボールホルダ４１は、防犯用のカラーボール４７がアーム４３の右アーム部分６３と左アーム部分６４との間に押し込まれることにより、図５〜図８に示されているように、アーム４３がカラーボール４７を把持し、カラーボール４７を衣類に着脱可能に支持する。このとき、カバー４２は、カラーボール４７を外部からの衝撃から防ぎ、カラーボール４７がその衝撃により破壊されることを防止する。
【００３８】
ユーザは、事件発生後、手の親指を切り欠き４６からカバー４２の内部に挿入して、カラーボール４７を掴み、カラーボールホルダ４１からカラーボール４７を引き抜く。このように、カラーボールホルダ４１によれば、ユーザは、切り欠き４６に指を入れてカラーボール４７を容易に取り出すことができる。ユーザは、次いで、逃走する犯人の足元や車めがけてカラーボール４７を投げつける。そのカラーボール４７は、標的に命中すると割れ、塗料を周囲に飛散させて犯人の衣服や車体に付着させる。その付着した塗料は、犯人を追跡する目印となり、容疑者の犯罪の証拠になる。
【００３９】
カバー４２に切り欠き４６が形成されることにより、ユーザは、カラーボールホルダ４１を用いて他人に分かるように、カラーボール４７を携帯することができる。罪を犯そうとする者は、カラーボール４７が携帯されていることを知ったときに、犯罪を躊躇することがある。このため、カラーボールホルダ４１は、犯罪を抑止することができる。
【図面の簡単な説明】
【００４０】
【図１】図１は、本発明によるカラーボールホルダの実施の形態を示す斜軸投影図である。
【図２】図２は、本発明によるカラーボールホルダの実施の形態を示す側面図である。
【図３】図３は、本発明によるカラーボールホルダの実施の形態を示す平面図である。
【図４】図４は、本発明によるカラーボールホルダ製造方法の実施の形態を示す斜軸投影図である。
【図５】図５は、本発明によるカラーボールホルダの実施の他の形態を示す斜軸投影図である。
【図６】図６は、本発明によるカラーボールホルダの実施の他の形態を示す平面図である。
【図７】図７は、本発明によるカラーボールホルダの実施の他の形態を示す断面図である。
【図８】図８は、アームを示す斜軸投影図である。
【符号の説明】
【００４１】
１  ：カラーボールホルダ
２  ：第１アーム
３  ：第２アーム
４  ：取付具
５  ：端
６  ：端
７  ：定点
８  ：端
９  ：端
１０：カラーボール
１１：取付具本体
１２：フック
１４：端縁
１５：面
１６：端縁
１７：突起
１８：間隔
１９：間隔
２１：線材
２２：右アーム部分
２３：左アーム部分
２４：取付具部分
２６：第１取付具部品
２７：第２取付具部品
２８：本体部分
２９：フック部分
【図１】
2005346506.tif 000003
【図２】
2005346506.tif 000004
【図３】
2005346506.tif 000005
【図４】
2005346506.tif 000006
【図５】
2005346506.tif 000007
【図６】
2005346506.tif 000008
【図７】
2005346506.tif 000009
【図８】
2005346506.tif 000010